(57)【要約】      （修正有）【課題】構造配置によって、快適性及び支持性を向上させることができるインソールを提供する。【解決手段】インソール１００は、本体１１０及び少なくとも１つの支持部材１２０を備え、本体が互いに接続した後足段１１２及び前足段１１１を含み、支持部材が本体に設置され、後足段に位置し、且つ第１端１２１及び第２端１２２を含み、第２端が後足段の端縁に近く、本体が第１の長さＨ１を有し、後足段の端縁から支持部材の第１端までの距離が第２の長さＨ２であり、第２の長さが第１の長さの半分より大きく且つ第１の長さより小さい。これによって、本体は柔軟性を有し、支持部材は一定の弾性及び硬さを有して十分な支持力を提供することができ、更にインソールに快適性と支持効果の両方を持たせる。【選択図】図１
2019217278.tif 000002
【特許請求の範囲】
【請求項１】
互いに接続した後足段及び前足段を含む本体と、
前記本体に設置され、前記後足段に位置して、且つ第１端及び第２端を含み、前記第２端が前記第１端より前記後足段の端縁に近い少なくとも１つの支持部材と、
を備え、
前記本体は第１の長さを有し、前記後足段の前記端縁から前記少なくとも１つの支持部材の前記第１端までの距離は第２の長さであり、前記第２の長さは前記第１の長さの半分より大きく且つ前記第１の長さより小さいことを特徴とするインソール。
【請求項２】
前記少なくとも１つの支持部材が前記本体によって被覆され、且つ少なくとも１つの穴を含み、前記本体が前記少なくとも１つの穴内に満たされる請求項１に記載のインソール。
【請求項３】
前記少なくとも１つの支持部材の数は１つであり且つ前記穴の数は１つであり、前記穴が前記本体の内側へある角度でずれる請求項２に記載のインソール。
【請求項４】
前記穴が前記支持部材の前記第２端に位置する請求項３に記載のインソール。
【請求項５】
前記穴の中心線と前記本体の中心線との間に前記角度を有し、前記角度が０度より大きく且つ１０度より小さい又は等しい請求項４に記載のインソール。
【請求項６】
前記穴の形状は楕円形を呈する請求項５に記載のインソール。
【請求項７】
前記少なくとも１つの支持部材は少なくとも１つのリブを含み、前記本体が前記少なくとも１つのリブを被覆する請求項１に記載のインソール。
【請求項８】
前記インソールの断面は楔形を呈し、且つ前記インソールの外側が前記インソールの内側より高い請求項１に記載のインソール。
【請求項９】
前記インソールの表面と前記インソールの底面との間に夾角を有し、前記夾角が０度より大きく且つ１０度より小さい又は等しい請求項８に記載のインソール。
【請求項１０】
前記少なくとも１つの支持部材は斜めに前記本体内に設置される請求項８に記載のインソール。
【請求項１１】
前記少なくとも１つの支持部材の数は２つであり、且つ２つの前記支持部材が前記インソールの幅方向と平行して間隔をあけて設置される請求項１に記載のインソール。
【請求項１２】
前記本体の表層に設置される上層を更に備える請求項１に記載のインソール。
【請求項１３】
互いに接続した後足段及び前足段を含む本体と、
前記本体に設置され、前記後足段に位置して、且つ第１端及び第２端を含み、前記第２端が前記第１端より前記後足段の端縁に近く、且つ熱可塑性弾性材料の支持部材である少なくとも１つの支持部材と、
を備え、
前記本体は第１の長さを有し、前記後足段の前記端縁から前記支持部材の前記第１端までの距離は第２の長さであり、前記第２の長さは前記第１の長さの半分より大きく且つ前記第１の長さより小さいことを特徴とするインソール。
【請求項１４】
前記インソールの断面は楔形を呈し、前記インソールの外側は前記インソールの内側より高く、且つ前記インソールの表面と前記インソールの底面との間に夾角を有し、前記夾角が０度より大きく且つ１０度より小さい又は等しい請求項１３に記載のインソール。
【請求項１５】
前記少なくとも１つの支持部材の数は１つであり、前記支持部材が穴を含み、前記穴が前記本体の内側へある角度でずれる請求項１３に記載のインソール。
【発明の詳細な説明】
【技術分野】
【０００１】
本発明は、インソールに関し、特に支持部材を有するインソールに関する。
【背景技術】
【０００２】
足は２６の骨で構成されてなり、且つ腱、靭帯及び筋膜の相互作用を通して、ウォーキング、体重負荷、衝撃吸収を提供する。
【０００３】
足のけがを避けるために、ほとんどの人は靴を履く時に靴の中にインソールを入れ、これによって、ウォーキングやエクササイズによる衝撃力を分散又は低下させ、ウォーキング中の快適性を高める。
【発明の概要】
【発明が解決しようとする課題】
【０００４】
従来のインソールは主に発泡材料で製造され、このようなインソールは低コストの利点を有するが、形作ることができなく、足のさまざまな部分を支えることができない欠点がある。
【０００５】
製造業者は一体成形された完全に足に合うことができる発泡インソールを製造したが、このようなインソールが柔らかすぎて、支持性も不足である。
【０００６】
これを鑑みて、インソールの構造を如何に改善してインソールの快適性及び支持性を増加するかは、関連業者が努力する目標となっている。
【課題を解決するための手段】
【０００７】
本発明は、インソールの構造配置によって、快適性及び支持性を向上させることができるインソールを提供する。
【０００８】
本発明の一態様による一実施形態は、本体及び少なくとも１つの支持部材を備え、本体が互いに接続した後足段及び前足段を含み、前記少なくとも１つの支持部材が本体に設置され、後足段に位置し、且つ第１端及び第２端を含み、第２端が第１端より後足段の端縁に近く、本体が第１の長さを有し、後足段の端縁から前記少なくとも１つの支持部材の第１端までの距離が第２の長さであり、第２の長さが第１の長さの半分より大きく且つ第１の長さより小さいインソールを提供する。
【０００９】
これによって、本体は柔軟性を有し、前記少なくとも１つの支持部材は一定の弾性及び硬さを有して十分な支持力を提供することができ、インソールに快適性と支持効果の両方を持たせることができる。
【００１０】
前記のインソールの複数の実施例によれば、前記少なくとも１つの支持部材は本体によって被覆されてよく、且つ少なくとも１つの穴を含み、本体は前記少なくとも１つの穴内に満たされる。或いは、前記少なくとも１つの支持部材の数は１つ且つ穴の数は１つであってよく、穴が本体の内側へある角度でずれる。或いは、穴は支持部材の第２端に位置してよい。或いは、穴の中心線と本体の中心線との間に角度を有してよく、角度が０度より大きく且つ１０度より小さい又は等しくてよい。なお、穴の形状は楕円形を呈してよい。
【００１１】
前記のインソールの複数の実施例によれば、前記少なくとも１つの支持部材は少なくとも１つのリブを含んでよく、本体は前記少なくとも１つのリブを被覆する。或いは、インソールの断面は楔形を呈してよく、且つインソールの外側がインソールの内側より高い。インソールの表面とインソールの底面との間に夾角を有してよく、夾角が０度より大きく且つ１０度より小さい又は等しい。或いは前記少なくとも１つの支持部材は斜めに本体内に設置されてよい。或いは前記少なくとも１つの支持部材の数は２つであってよく、且つ２つの支持部材はインソールの幅方向と平行して間隔をあけて設置される。或いは前記インソールは本体の表層に設置された上層を更に含んでよい。
【００１２】
本発明の一態様による他の実施形態は、本体及び少なくとも１つの支持部材を備え、本体が互いに接続した後足段及び前足段を含み、前記少なくとも１つの支持部材が本体に設置され、後足段に位置し、且つ第１端及び第２端を含み、第２端が第１端より後足段の端縁に近く、熱可塑性弾性材料の支持部材であり、本体が第１の長さを有し、後足段の端縁から前記少なくとも１つの支持部材の第１端までの距離が第２の長さであり、第２の長さが第１の長さの半分より大きく且つ第１の長さより小さいインソールを提供する。
【００１３】
前記のインソールによれば、インソールの断面は楔形を呈してよく、且つインソールの外側がインソールの内側より高く、且つインソールの表面とインソールの底面との間に夾角を有し、夾角が０度より大きく且つ１０度より小さい又は等しい。なお、前記少なくとも１つの支持部材の数は１つであり、支持部材が穴を含み、穴が本体の内側へある角度でずれる。
【図面の簡単な説明】
【００１４】
【図１】本発明の一実施例によるインソールを示す上面模式図である。
【図２】図１のインソールの断面線２−２に沿う断面模式図である。
【図３】本発明の他の実施例によるインソールを示す上面模式図である。
【図４】図３のインソールの断面線４−４に沿う断面模式図である。
【図５】本発明のまた他の実施例によるインソールを示す上面模式図である。
【図６】図５のインソールの断面線６−６に沿う断面模式図である。
【図７】本発明のさらに他の実施例によるインソールを示す上面模式図である。
【図８】図７のインソールの断面線８−８に沿う断面模式図である。
【図９】本発明の更なる他の実施例によるインソールを示す断面模式図である。
【図１０】本発明のまた他の実施例によるインソールを示す断面模式図である。
【図１１】本発明の他の実施例によるインソールを示す上面図である。
【図１２】図１１のインソールの断面線１２−１２に沿う断面図である。
【図１３】本発明のさらに他の実施例によるインソールを示す上面図である。
【発明を実施するための形態】
【００１５】
以下、図面を参照して本発明の実施例を説明する。明らかに説明するために、数多くの実務上の細部を下記の叙述で合わせて説明する。しかしながら、読者が理解すべきなのは、これらの実務上の細部が、本発明を制限するためのものではない。つまり、本発明の実施例の一部においては、これらの実務上の細部は、必要としないものである。図面を簡略化するために、ある従来慣用の構造及び素子は、図面において簡単で模式的に示され、且つ繰り返し素子を同様な符号で示す可能性がある。
【００１６】
なお、本文において、ある素子（機構やモジュール等）は他の素子に「接続」、又は「設置」されることは、前記素子は他の素子に直接接続又は直接設置されることを指してもよいし、ある素子は他の素子に間接接続又は間接設置されることを指してもよく、即ち、前記素子と他の素子の間にその他の素子が介在されることを意味する。ある素子は他の素子に「直接接続」又は「直接設置」されることを明確に示す時に、前記素子と他の素子との間にその他の素子が介在されないことを示す。第１、第２、第３等の用語はただ異なる素子又は成分を叙述するためのものであり、素子／成分そのものに対して制限がなく、このため、第１の素子／成分を第２の素子／成分に変更してもよい。且つ、本文における素子／成分／機構／モジュールの組み合わせは当分野において一般的に知られた、通常又は従来の組み合わせではなく、素子／成分／機構／モジュールそのものが従来のものであるかどうかによって、その組み合わせ関係は当業者によって容易に完成されるかどうかを判断することができない。
【００１７】
図１及び図２を参照されたい。図１は本発明の一実施例によるインソール１００を示す上面模式図であり、図２は図１のインソール１００の断面線２−２に沿う断面模式図である。インソール１００は本体１１０及び少なくとも１つの支持部材１２０（本実施例において支持部材１２０の数が１つである）を備え、本体１１０が互いに接続した後足段１１２及び前足段１１１を含み、支持部材１２０が本体１１０に設置され、後足段１１２に位置し、且つ第１端１２１及び第２端１２２を含み、第２端１２２が第１端１２１より後足段１１２の端縁（図示せず）に近く、本体１１０が第１の長さＨ１を有し、後足段１１２の端縁から支持部材１２０の第１端１２１までの距離が第２の長さＨ２であり、第２の長さＨ２が第１の長さＨ１の半分より大きく且つ第１の長さＨ１より小さい。
【００１８】
これによって、本体１１０は柔軟性を有し、支持部材１２０は一定の弾性と硬さを有して十分な支持力を提供することができ、更にインソール１００に快適性と支持効果の両方を持たせる。以下で、インソール１００の細部を詳細的に説明する。
【００１９】
支持部材１２０の材料は熱可塑性弾性材料であってよく、重量が軽く、一定の弾性と硬さを有するという利点を有する。好ましくは、本実施例において、支持部材１２０は本体１１０によって被覆され、他の実施例において、支持部材が本体に設置されてもよく、これに制限されない。
【００２０】
本体１１０の形状及びサイズは足の全体に対応し、且つ本体１１０の材料はポリウレタン発泡材料又はエチレンビニルアセテートであってよく、ポリウレタン発泡材料は例えば高密度環境に優しいポリウレタンであってよく、前足段１１１と後足段１１２とは一体成形される。プロセス上で、支持部材１２０を被覆する本体１１０を完成するように、まず支持部材１２０を製造した後に、更に上記材料を使用して発泡プロセスを行うことができるが、これに制限されない。
【００２１】
前足段１１１と後足段１１２との区別は支持部材１２０の設置位置によって決められ、好ましくは、支持部材１２０の第１端１２１を前足段１１１と後足段１１２との分界とする。第２の長さＨ２が第１の長さＨ１の半分より大きいという条件を満たす場合に、支持部材１２０は位置が適切であり、優れた支持力、特にアーチの支持力を提供することができる。図１の実施例において、前足段１１１は足の趾骨及び中足指節関節に対応でき、後足段１１２及び支持部材１２０は中足骨、足首関節、楔骨及び踵骨に対応でき、優れた支持力を提供することができる。ここで特に説明する必要があるのは、上記の骨対応は例示だけであり、本発明はこれらに制限されない。他の実施例において、支持部材は後足段の前半部のみに位置でき且つ長さが後足段の長さの半分であり、必要に応じて決められることができ、上記の開示に制限されない。
【００２２】
図３及び図４を参照されたい。図３は本発明の他の実施例によるインソール２００を示す上面模式図であり、図４は図３のインソール２００の断面線４−４に沿う断面模式図である。図３のインソール２００は図１のインソール１００と類似しており、支持部材２２０が少なくとも１つの穴２２３を含んでよく、且つ本体２１０が穴２２３内に満たされることに異なり、穴２２３の数が複数（図３で１０である）であり、複数の穴２２３が間隔をあけて並べ、且つ本体２１０が複数の穴２２３内に満たされる。
【００２３】
より詳しくは、支持部材２２０を製造した時に穴２２３を含んでおり、穴２２３は穴あき構造であり、高密度環境に優しいポリウレタン又はエチレンビニルアセテートを入れて発泡プロセスを行う場合に、高密度環境に優しいポリウレタン又はエチレンビニルアセテートが穴２２３内に入ることがあるため、発泡が完成した後に、本体２１０が穴２２３に満たされる構造関係を形成することになる。
【００２４】
これによって、支持部材２２０は穴２２３を含む場合に、本体２１０と支持部材２２０との接合関係を増加することができ、構造強度を高めることができる。
【００２５】
図５及び図６を参照されたい。図５は本発明のまた他の実施例によるインソール３００を示す上面模式図であり、図６は図５のインソール３００の断面線６−６に沿う断面模式図である。図５のインソール３００は図１のインソール１００と類似しており、支持部材３２０は少なくとも１つのリブ３２４を含んでよく、本体３１０がリブ３２４を被覆し、且つリブ３２４の数は２つであってよく且つ互いに間隔をあけて並べることに異なる。
【００２６】
より詳しくは、支持部材３２０を製造した時にリブ３２４を含んでおり、リブ３２４が支持部材３２０の厚さ方向（図示せず）へ突出する。他の実施例において、上へ突出し、下へ突出し或いは上下へ突出して両辺を有するリブであってよく、これらに制限されない。
【００２７】
高密度環境に優しいポリウレタン又はエチレンビニルアセテートを入れて発泡プロセスを行う場合に、高密度環境に優しいポリウレタン又はエチレンビニルアセテートがリブ３２４を被覆することがあるため、発泡が完成した後に、本体３１０がリブ３２４を被覆した構造関係を形成することになる。
【００２８】
これによって、支持部材３２０はリブ３２４を含む場合に、本体３１０と支持部材３２０との接合関係を増加することができ、構造強度を高めることができる。
【００２９】
図７及び図８を参照されたい。図７は本発明のさらに他の実施例によるインソール４００を示す上面模式図であり、図８は図７のインソール４００の断面線８−８に沿う断面模式図である。図７のインソール４００は図１のインソール１００と類似しており、支持部材４２０の数は２つであり、且つ２つの支持部材４２０がインソール４００の幅方向（図示せず）と平行して間隔をあけて設置されることに異なる。
【００３０】
より詳しくは、２枚の支持部材４２０の間に更に接続シート４２５によって接続されてもよく、高密度環境に優しいポリウレタン又はエチレンビニルアセテートを入れて発泡プロセスを行う場合に、高密度環境に優しいポリウレタン又はエチレンビニルアセテートが支持部材４２０及び接続シート４２５を被覆し、且つ２つの接続シート４２５の間の隙間に満たされ、発泡が完成した後に、本体４１０が支持部材４２０及び接続シート４２５を被覆する構造関係を形成することになる。
【００３１】
図８のインソール４００は上層４３０を更に含んでよく、上層４３０が本体４１０の表層４１３に設置され抗菌機能を有することができる。他の実施例において、上層の材質は革であってよく、インソールに汗吸収性、通気性、キープドライ及び足の臭いを取り除く機能を達成させることができる。
【００３２】
図９を参照されたい。図９は本発明の更なる他の実施例によるインソール５００を示す断面模式図である。図９のインソール５００は図１のインソール１００と類似しており、インソール５００の断面が楔形構造を呈することができ、且つインソール５００の外側（図示せず）がインソール５００の内側（図示せず）より高いことに異なる。インソール５００の表面５０１とインソール５００の底面５０２との間に夾角θを有してよく、夾角θが０度より大きく且つ１０度より小さい又は等しい。
【００３３】
より詳しくは、着用する際に、インソール５００の外側は足部の外側に対応でき、インソール５００の内側は足の内側に対応できるため、使用者は外側が高くて内側が低いインソール５００に踏む場合に、膝関節内側の関節面圧を効果的に軽減することができる。インソール５００の表面５０１と底面５０２との夾角θが０度より大きく且つ１０度より小さい又は等しい場合に、圧力の軽減効果はより良く、より好ましくは、夾角θが０度より大きく且つ８度より小さい又は等しくてよい。図９のインソール５００において、支持部材５２０は斜めに本体５１０内に設置されてよく、好ましくは、支持部材５２０は表面５０１と平行するが、他の実施例において、支持部材は水平に本体内に設置されてインソールの底面と平行してよく、これに制限されない。
【００３４】
図１０を参照されたい。図１０は本発明のまた他の実施例によるインソール６００を示す断面模式図である。図１０のインソール６００は図９のインソール５００と類似しており、インソール６００の内側（図示せず）がインソール６００の外側（図示せず）より高いことに異なる。つまり、インソール６００の傾斜方向はインソール５００と反対する。
【００３５】
図１１及び図１２を参照されたい。図１１は本発明の他の実施例によるインソール７００を示す上面図であり、図１２は図１１のインソール７００の断面線１２−１２に沿う断面図である。インソール７００は図３のインソール２００と類似しており、支持部材７２０が穴７２３のみを含み、且つ穴７２３が本体７１０の内側７１３へある角度θ１でずれることに異なり、内側７１３はインソール７００の内側に対応する。詳しくは、穴７２３は支持部材７２０の第２端７２２に位置してよく、且つ本体７１０が穴７２３内に満たされる。好ましくは、穴７２３の形状は楕円形を呈してよく、且つ穴７２３の中心線Ｉ１と本体７１０の中心線Ｉ２との間に角度θ１を有し、角度θ１が０度より大きく且つ１０度より小さい又は等しくてよい。
【００３６】
これによって、支持部材７２０の穴７２３の位置及びずれた角度θ１によって、インソール７００の構造配置を改善することができ、且つ穴７２３のずれた角度θ１は人間の足底が形成された曲線形状に合わせるため、歩く際に、足底の全面をインソールに接触させ且つ受力を均一にし、快適性を実現することができる。更にインソールが楔形構造であることを組み合わせる場合に、インソールの内側がインソールの外側より高くてもよいし、又はインソールの外側がインソールの内側より高くてもよく、着用者の足の形状に応じて組み合わせることができ、インソールの外側が足部の外側に対応し、及びインソールの内側が足部の内側に対応することに制限されない。
【００３７】
図１３を参照されたい。図１３は本発明のさらに他の実施例によるインソール８００を示す上面図である。図１３のインソール８００は図１０のインソール６００と類似しており、支持部材８２０が水平に本体８１０内に設置されてインソール８００の底面と平行することに異なる。好ましくは、本体８１０は支持部材８２０を覆って、且つ支持部材８２０の底部が本体８１０から露出する。
【００３８】
本発明を実施例によって前述の通りに開示したが、これは、本発明を限定するものではなく、当業者なら誰でも、本発明の精神と範囲から逸脱しない限り、多様の変更や修正を加えることができ、したがって、本発明の保護範囲は、後に付いた特許請求の範囲で指定した内容を基準とする。
【符号の説明】
【００３９】
１００  インソール
１１０  本体
１１１  前足段
１１２  後足段
１２０  支持部材
１２１  第１端
１２２  第２端
２００  インソール
２１０  本体
２２０  支持部材
２２３  穴
３００  インソール
３１０  本体
３２０  支持部材
３２４  リブ
４００  インソール
４１０  本体
４１３  表層
４２０  支持部材
４２５  接続シート
４３０  上層
５００  インソール
５０１  表面
５０２  底面
５１０  本体
５２０  支持部材
６００  インソール
７００  インソール
７１０  本体
７１３  内側
７２０  支持部材
７２２  第２端
７２３  穴
８００  インソール
８１０  本体
８２０  支持部材
Ｈ１  第１の長さ
Ｈ２  第２の長さ
Ｉ１、Ｉ２  中心線
θ  夾角
θ１  角度
【図１】
2019217278.tif 000003
【図２】
2019217278.tif 000004
【図３】
2019217278.tif 000005
【図４】
2019217278.tif 000006
【図５】
2019217278.tif 000007
【図６】
2019217278.tif 000008
【図７】
2019217278.tif 000009
【図８】
2019217278.tif 000010
【図９】
2019217278.tif 000011
【図１０】
2019217278.tif 000012
【図１１】
2019217278.tif 000013
【図１２】
2019217278.tif 000014
【図１３】
2019217278.tif 000015